(57)【要約】【課題】天板の回動をロック状態から解除する操作手段として、複雑な支持要素を設けずに済み、部品点数を減らせると共に、操作手段の大部分を外部から閉塞できる折り畳みテーブルを提供すること。【解決手段】天板２の下面２ａの左右に配置したブラケット１０により、天板２を脚体３に対して回動する支持し、ブラケット１０の上面１４に形成した天板２側に開口する前後方向の溝部１４ｃ上を回動可能な棒状部２５ｂと、棒状部２５ｂの一端側から外方に向けて延設される把手部２５ａと、棒状部２５ｂの他端側から延設した天板２のロック状態を係脱する係止手段３２を操作する延設部２５ｃとを有するレバー部材２５の操作により、天板２を水平な使用位置と略垂直な折り畳み位置間を回動して、水平な使用位置あるいは略垂直な折り畳み位置に支持する。【選択図】図６
2007306987.tif 000002
【特許請求の範囲】
【請求項１】
天板を左右一対の脚体の上端に枢着して、該天板を、操作手段によってロック状態から解除して、水平な使用位置と、略垂直な折り畳み位置との間で回動可能に支持してなる折り畳みテーブルにおいて、前記天板の下面における左右を、前記脚体に対して回動するブラケットにより支持するものとし、前記操作手段は、ブラケットの上面に形成した、天板側に開口する前後方向の溝部上を回動可能な棒状部と、該棒状部の一端側から外方に向けて延設される把手部と、前記棒状部の他端側から延設した天板のロック状態を維持している係止手段を操作する延設部とを有するレバー部材で構成され、前記溝部の天板側の開口は前記ブラケットの天板下面の取着時に天板で閉鎖されていることを特徴とする折り畳みテーブル。
【請求項２】
前記係止手段を、前記ブラケットの内側面に弾性付勢されて内向きに突出する係合突部とし、前記脚体の外側面に、前記係合突部が係合する係合孔を穿設し、前記延設部を前記係合突部に連係させて、係合突部と係合孔との係脱を行う請求項１に記載の折り畳みテーブル。
【請求項３】
前記ブラケットの内側面に開口した案内溝に、前記係合突部を前記係合孔方向に弾性付勢された状態で摺動させた請求項２に記載の折り畳みテーブル。
【請求項４】
前記脚体の上端部を、下向に開口するコ字状の閉塞板内に収容し、該閉塞板の外側面に、前記係合孔を形成した請求項１乃至３のいずれかに記載の折り畳みテーブル。
【請求項５】
前記閉塞板の後上部に、前記天板の折り畳み位置において、前記係合突部が係合する段部を形成した請求項４に記載の折り畳みテーブル。
【発明の詳細な説明】
【技術分野】
【０００１】
本発明は、天板を左右一対の脚体の上端に枢着して、該天板を、操作手段によってロック状態から解除して、水平な使用位置と、略垂直な折り畳み位置との間で回動可能に支持してなる折り畳みテーブルに関する。
【背景技術】
【０００２】
従来、この種の折り畳みテーブルにおいて、天板を、操作手段によってロック状態から解除して、水平な使用位置と、略垂直な折り畳み位置との間で回動可能にするものとして、天板受けにハンドル軸が枢着され、このハンドル軸にスリーブを介して駆動腕が固設されていて、ハンドル操作により駆動腕を揺動させ、ピンを介して係止杆を水平孔から脱出してロック状態を解除したものが既に公知である（例えば、特許文献１参照）。
【０００３】
【特許文献１】実願昭６０−４４７７０号（実開昭６１−１６０７２８公報参照）のマイクロフィルム（第５頁、第１，４図）
【発明の開示】
【発明が解決しようとする課題】
【０００４】
しかしながら、特許文献１に記載の折り畳みテーブルは、ハンドルの操作を揺動腕に伝えるために、ハンドル軸を天板受けに枢着する必要があり、駆動腕のハンドル軸への固設や、ハンドル軸の天板受けへの支持作業が煩雑であるばかりでなく、ハンドルと揺動腕以外に、部品としてハンドル軸が必要であった。しかも係止杆を作動させるための一連の操作部品は下方からは全て露見され、体裁の良いのものとは言えなかった。
【０００５】
本発明は、このような問題点に着目してなされたもので、天板の回動をロック状態から解除する操作手段として、複雑な支持要素を設けずに済み、部品点数を減らせると共に、操作手段の大部分を外部から閉塞できる折り畳みテーブルを提供することを目的とする。
【課題を解決するための手段】
【０００６】
上記課題を解決するために、本発明の請求項１に記載の折り畳みテーブルは、天板を左右一対の脚体の上端に枢着して、該天板を、操作手段によってロック状態から解除して、水平な使用位置と、略垂直な折り畳み位置との間で回動可能に支持してなる折り畳みテーブルにおいて、前記天板の下面における左右を、前記脚体に対して回動するブラケットにより支持するものとし、前記操作手段は、ブラケットの上面に形成した、天板側に開口する前後方向の溝部上を回動可能な棒状部と、該棒状部の一端側から外方に向けて延設される把手部と、前記棒状部の他端側から延設した天板のロック状態を維持している係止手段を操作する延設部とを有するレバー部材で構成され、前記溝部の天板側の開口は前記ブラケットの天板下面の取着時に天板で閉鎖されていることを特徴としている。
この特徴によれば、レバー部材の棒状部がブラケットにおける溝部上にあるので、レバー部材をブラケットの上部から容易に取り付けることができるとともに、レバー部材を溝部と天板下面とで保持できるので、棒状部を支持するための特段の部材が不要となり部材点数を削減できる。しかも棒状部で閉塞されているので外方に目立たず体裁も良い。
【０００７】
本発明の請求項２に記載の折り畳みテーブルは、請求項１に記載の折り畳みテーブルであって、前記係止手段を、前記ブラケットの内側面に弾性付勢されて内向きに突出する係合突部とし、前記脚体の外側面に、前記係合突部が係合する係合孔を穿設し、前記延設部を前記係合突部に連係させて、係合突部と係合孔との係脱を行うことを特徴としている。
この特徴によれば、延設部を係合突部と連係させて、該係合突部と係合孔との係脱を行うので、簡素な構造で天板のロック状態の維持と解放とができる。
【０００８】
本発明の請求項３に記載の折り畳みテーブルは、請求項２に記載の折り畳みテーブルであって、前記ブラケットの内側面に開口した案内溝に、前記係合突部を前記係合孔方向に弾性付勢された状態で摺動させたことを特徴としている。
この特徴によれば、係合突部が、係合孔方向へ付勢された状態で、案内溝内を案内されながら移動するので、係合孔との係脱を円滑に行える。
【０００９】
本発明の請求項４に記載の折り畳みテーブルは、請求項１乃至３のいずれかに記載の折り畳みテーブルであって、前記脚体の上端部を、下向に開口するコ字状の閉塞板内に収容し、該閉塞板の外側面に、前記係合孔を形成したことを特徴としている。
この特徴によれば、脚体の上端部を収納する閉塞板の外側面に係合孔を穿設するようにしたので、係合孔の穿設が容易であり、該係合孔と係合突部との位置合わせもしやすい。
【００１０】
本発明の請求項５に記載の折り畳みテーブルは、請求項４に記載の折り畳みテーブルであって、前記閉塞板の後上部に、前記天板の折り畳み位置において、前記係合突部が係合する段部を形成したことを特徴としている。
この特徴によれば、天板の折り畳み位置において、係合突部を閉塞板に形成した段部と係合させることにより、閉塞板を利用して天板の折り畳みが保持される位置を確保できる。
【発明を実施するための最良の形態】
【００１１】
本発明の実施例を以下に説明する。
【実施例】
【００１２】
図１（ａ）は、本発明の実施例における折り畳みテーブルの全体像を示す天板使用位置の斜視図であり、図１（ｂ）は、折り畳みテーブルの天板の折り畳み位置を示す斜視図であり、図２は、脚体、連結杆、閉塞板および幕板を示す分解組立斜視図および、その閉塞板と脚体の連結を示す要部拡大斜視図であり、図３は、テーブルの天板を支持するブラケットの分解組立斜視図であり、図４は、ブラケットの組立完成斜視図であり、図５は、天板取り付け後のブラケットの状態を示す平面図であり、図６（ａ）は、図５のＣ−Ｃ線に沿う端面図であり、図６（ｂ）は、図５のＤ−Ｄ線に沿う端面図であり、図７（ａ）は、図６（ａ）に示されたレバー部材操作時の端面図であり、図７（ｂ）も同様に、図６（ｂ）に示されたレバー部材操作時の端面図であり、図８（ａ）は、折り畳みテーブルの水平な天板の使用位置からの切換えレバーの操作を示す一部省略要部拡大斜視図であり、図８（ｂ）は、折り畳みテーブルの略垂直な天板の折り畳み位置を示す一部省略要部拡大斜視図であり、図９は、天板の使用可能な水平位置から略垂直な折り畳み位置へと回動されたテーブルを示す側面図である。
【００１３】
この折り畳みテーブル（以下、テーブル）は、図１に示すように、学校の教室や会社等で使用される天板２の折り畳み可能なテーブル１であり、未使用時には特に図示しないが複数のテーブル１，・・・を前後方向に重ねて収納可能となっており、室内のスペースを有効に活用可能となっている。以下、本実施例の説明において、図１に図示されたテーブル１を対面した状態で見て、テーブル１の手前側を前方とし、奥行き側を後方とし、左手側を左方、右手側を右方として説明する。
【００１４】
図１（ａ）および図１（ｂ）に示されるように、左右方向に長い上面視矩形の天板２からの荷重を支持する左右一対の脚体３は、それぞれアルミやスチール等の２本の金属パイプの上端部３ａを溶接等で互いに連結して、下端部３ｂを互いに前後方向に離間するように成型され、それぞれの下端部３ｂには、床面３０に対して前後左右方向に自由回動可能かつ移動ロック付きのキャスタ５を備えている。左右の上端部３ａ，３ａにはそれぞれスチール等の金属板で折り曲げ形成された閉塞板７，７が熱溶着され、この閉塞板７，７は両者を連結する左右の長さ方向に延びる横杆状のアルミやスチール等の金属パイプからなる連結杆６の左右側端部６ａ，６ａの前面に熱溶着されている。
【００１５】
アルミ等の金属で成型されたブラケット１０，１０が、連結杆６の左右側端部６ａ，６ａに対して、その軸心回りに回動可能に嵌合され、これらブラケット１０，１０は天板２の下面２ａに取り付けられている。左右の脚体３，３の上端部３ａ，３ａには、互いの対面する内方に向けて幕板取付片３ｃ，３ｃが延設されており、スチール金属板やプラスチック板等からなる矩形の幕板４が取り付けられている。また、ブラケット１０の側壁１１には、荷物掛け部２３が外方に向けて突設されており、鞄や傘等を吊持可能なテーブル１となっている。
【００１６】
そして、後述において詳述する左方のブラケット１０に設けられたレバー部材２５の操作によって、このブラケット１０の閉塞板７に対する係合が解除され、天板２の前端側が上方且つ後方に向けて押し上げられることで、天板２の使用可能な水平位置から［図１（ａ）参照］、略垂直な折り畳み位置へと回動され［図１（ｂ）参照］、テーブル１を前後方向に複数重ねて収納可能な状態となる。
【００１７】
尚、テーブル１の構造は、左方に設けられたレバー部材２５および、その付帯する天板２のロック構造を除き左右対称構造のため、以下の実施例においては、主にテーブル１の左方側を中心に説明する。
【００１８】
閉塞板７および脚体３との連結について図２に基づき説明する。連結杆６の左右側端部６ａ，６ａの近傍の前面に設けられた閉塞板７は、上部に水平面を有する水平板７ｂおよび、この水平板７ｂの左右に立設した側面視扇状の外側板７ａ，７ａとで構成され、下向きに開口するコ字状の開口部を有している。左方の外側板７ａの略中央位置には、左右方向に貫通する係合孔７ｃが形成され、左方の外側板７ａの上方後端部には段部７ｄが凹設されている。
【００１９】
脚体３の上端部３ａには、上下所定間隔離間されてネジ孔３ｄ，３ｄが穿設されるとともに、閉塞板７の両外側板７ａ，７ａ間の前面を覆うように、ナイロン等の弱剛性の軟質材によりなる円弧形カバー部８がカバー取付ボルト９，９により、円弧形カバー部８のボルト貫通孔８ｂ、８ｂを介してネジ孔３ｄ，３ｄと螺合して脚体３の上端部３ａに固着されている。
【００２０】
尚、脚体３は閉塞板７の内面と熱溶着等で連結固着され、閉塞板７は連結杆６に熱溶着等で連結固着されている。また、左右脚体３，３の前後の各下端部３ｂには、前述のキャスタ５を取り付けるためのキャスタ取付キャップ５ａが取り付けられ、幕板４は、ボルト等で幕板取付片３ｃ，３ｃに取り付けられる。
【００２１】
次に、天板２を支持するブラケット１０について説明する。図３に示されるように、ブラケット１０は前後方向に延在される側壁１１と、この側壁１１の上辺部から水平に折り曲げ成形された上板１４とで構成され、上板１４の後方側は左右に幅広な水平部１７となっている。これら上板１４には上下に貫通する天板取付貫通孔１４ｄ，１４ｄが複数形成されているとともに、前後中間位置から前方向に向けて溝部１４ｃが凹設され、操作手段に相当するレバー部材２５が収納可能になっている。溝部１４ｃの後端に連通し、且つ水平部１７を上下に貫通する挿通孔１４ｂが形成されている。
【００２２】
レバー部材２５は、前後方向に延設された金属棒状の棒状部２５ｂと、棒状部２５ｂの一端側である前端側から外方に向けて延設される把手部２５ａと、棒状部２５ｂの他端側である後端側から下方に向けて延設され先端の一部が切り欠かれた延設部２５ｃと、から構成されている。延設部２５ｃは挿通孔１４ｂから下方に向けて連通可能になっている。
【００２３】
水平部１７の下部の側壁１１には、外方に向けて突出した円形の内向き窪み部１２が形設され、この内向き窪み部１２の最奥部は内壁１２ａによって塞がれている。また、窪み部１２の内周面１２ｂの一部が前述した閉塞板７側に延出して円弧状のフランジ部１３を構成している。この内向き窪み部１２の内周面１２ｂには、その周回りに沿って左右方向に向く複数の案内凸条１８が所定間隔で形成され、後述する連結杆６との回動の際（図９参照）の摺接する摩擦面を低減して、円滑にブラケット１０の回動を行えるようにしている。
【００２４】
側壁１１の内面の略中間位置には、円弧形部１６が内方に向けて延設され、この上部が水平部１７と連接して側面視略Ｊ字状部１５が形成されている。このブラケット１０の円弧形部１６の形状は、円弧形カバー部材８の前面８ａと摺接もしくは近接可能な形状となっている。
【００２５】
また側壁１１の内側面１１ａには、係止手段である係合突部３２を左右方向に向けて摺接可能に収納できる案内溝２０が形成され、この案内溝２０には前方側に摺動溝２０ａが左右方向に切り欠き形成されている。案内溝２０の上下位置には、一対の固定ネジ３５，３５を用いて矩形板状の保持板３１を螺着可能な一対のネジ穴２１，２１が形成されている。
【００２６】
係合突部３２の形状は案内溝２０の内径と略同径の左右に延在する円柱軸形状となっており、係合突部３２の左右中央位置には、前方に向けて頭部を有する係止受軸３２ａが延設されている。この係止受軸３２ａは摺動溝２０ａに沿って左右方向に摺動可能な軸径幅となっている。保持板３１の中央位置には軸挿通孔３１ａが形成され、上下位置に固定ネジ３５のためのネジ挿通孔３１ｂ，３１ｂが形成されている。
【００２７】
係合突部３２を案内溝２０に取り付けるには、まず左右方向に弾性力を有するバネ部材３３を案内溝２０の内部に収納し、このバネ部材３３の弾性力に抗して案内突部３２を案内溝２０に挿し込みながら、係止受軸２０ａを摺動溝２０ａに係合する。さらに保持板３１の軸挿通孔３１ａから案内突部３２を挿通した状態で固定ネジ３５，３５をネジ挿通孔３１ｂ，３１ｂに向けて挿通してネジ穴２１，２１に向けて螺合する。
【００２８】
図４に示されるように、バネ部材３３に付勢される係合突部３２は、保持板３１によって係止受軸３２ａの右側内方への移動が規制されることから、案内溝２０からの取り外れが確実に防止され、係合突部３２が内向きに弾性付勢された状態で突出される。そして、レバー部材２５の棒状部２５ｂを溝部１４ｃ内に軸回動可能に収納するとともに、延設部２５ｃが挿通孔１４ｂから下方に向けて挿通されて、その先端部が係止受軸３２ａに係止されている。尚、係止受軸３２ａの先端部には予め頭部が形成されているので、延設部２５ｃとの係止状態が安定して維持されている。
【００２９】
次いで、図２および図４に基づいて、ブラケット１０と連結杆６との嵌合について説明する。ブラケット１０の内向き窪み部１２の内壁１２ａに連結杆６の側端面が当接する位置まで側端部６ａを挿嵌させブラケット１０の位置決めが行われる。このときフランジ部１３が連結杆６の側端部６ａの挿入ガイドとなり嵌合が楽に行える。嵌合後はブラケット１０の水平位置で、閉塞板７の水平板７ｂおよび円弧形カバー部材８が、ブラケット１０の略Ｊ字上部１５の水平部１７および円弧形部１６により覆われる。
【００３０】
連結杆６にブラケット１０が結合されると、図６（ｂ）に示されるように、前述のバネ部材３３（図３参照）の弾性付勢力によって、保持板３１から内向きに突出する係合突部３２が閉塞板７の外側板７ａに穿設された係合孔７ｃに係合する方向に向けて脱着可能に係合される。このように、脚体３の上端部３ａを収納する閉塞板７の外側板７ａに係合孔７ｃを穿設するようにしたので、係合孔７ｃの穿設が容易であり、該係合孔７ｃとブラケット１０の係合突部３２との位置合わせもしやすい構成になっている。
【００３１】
ブラケット１０を天板２の下面２ａに螺着する際は、図５に示されるように閉塞板７の水平板７ｂの上面に側面視略Ｊ字状部１５の一部である水平部１７の下面を当接させ、さらに天板２の下面２ａをブラケット１０の上板１４に支持させた状態で、天板取付ネジ１９を天板取付貫通孔１４ｄを介して天板２とブラケット１０を螺合する。
【００３２】
溝部１４ｃの天板２側の開口は、ブラケット１０の取着時に天板下面２ａにより上方が閉鎖されており、棒状部２５ｂが天板下面２ａと溝部１４ｃとで回動可能に安定して保持されている。尚、本実施例では、棒状部２５ｂの上方にレバー保持片２６，２６が前後２箇所に嵌入されており、ブラケット１０を天板２に取着するとき、溝部１４ｃからのレバー部材２５の取り外れが阻止されるとともに、取着後の棒状部２５ｂの軸周りの回動をより円滑に行えるように保持されている。
【００３３】
図６（ａ）および図６（ｂ）にも示されるように、レバー部材２５の延設部２５ｃはバネ部材３３の弾性付勢力によって、係止受軸３２ａを介して棒状部２５ｂを回転付勢されていることから、水平部１７に対してレバー部材２５の把手部２５ａが下向きに傾斜された角度となっており、把手部２５ａが天板２の下面２ａから下方にやや離間された位置となっている。
【００３４】
図６（ｂ）に示されるように、係止手段である係合突部３２は、天板２の水平な使用位置において、係合孔７ｃに係合され天板２のロック状態が維持されており、天板２の不用意な回動が阻止されている。図６（ａ）、図８（ａ）に示されるように、レバー部材２５の把手部２５ａが天板２の下面２ａ側に向けて操作されると、図７（ａ）に示されるように、棒状部２５ｂを軸に延設部２５ｃが回動して、係止受軸３２ａが外方左側に向けて移動する。すると、図７（ｂ）に示されるように、係合孔７ｃに係合されていた係合突部３２が延設部２５ｃにより係止受軸３２ａを介して連係され、バネ部材３３の弾性付勢力に抗して外方左側に向けて移動し、係合孔７ｃから係合突部３２の係合が解除される。
【００３５】
このようにして、延設部２５ｃを係合突部３２と連係させて、係合突部３２を係合孔７ｃから離脱操作が行えるので、簡素な構造で天板２のロック状態の維持と解放とが可能である。しかも、係合突部３２がブラケット１０の内側面１１ａに形成した案内溝２０に摺動案内されながら移動するので、係合孔７ｃとの係脱を円滑に行える構成となっている。
【００３６】
以上に説明した係合孔７ｃと係合突部３２との係合が解除された状態でのみ、天板２を水平な位置［図１（ａ）参照］から略垂直な折り畳み位置［図１（ｂ）参照］に連結杆６を軸心として上方に向けて回動できるようになっており、具体的には、図８（ｂ）に示されるように、係合孔７ｃから解除された係合突部３２の内向き側の先端が２点鎖線で示すように、閉塞板７の外側板７ａの外側面に沿って上方に斜め後方に向けて摺接されながら、天板２の折り畳み位置［図１（ｂ）参照］に移動されると、係合突部３２が再びバネ部材３３の付勢力を得て、外側板７ａの上方後端部の段部７ｄに係合され、天板２の水平位置への戻りが拘束される。そして、ブラケット１０の傾斜位置が固定され、天板２の略垂直な折り畳み位置が確実に固定される。
【００３７】
このように、天板２の折り畳み位置において、係合突部３２を閉塞板７に形成した段部７ｄと係合させることにより、閉塞板７を利用して天板２の折り畳み位置を確保できる。しかも、係合突部３２が弾性付勢されていることから、天板２の水平な使用位置における係合孔７ｃとの係合状態および略垂直な折り畳み位置における段部７ｄとの係合状態を確実なものとすることができる。尚、天板２を略垂直な折り畳み位置から水平位置に戻すには、再びレバー部材２５の把手部２５ａを天板２の下面２ａ側に向けて操作して係合突部３２を外側板７ａの段部７ｄから外し、天板２を水平方向に戻すことで、係合突部３２ａは係合孔７ｃに嵌入し、図６（ｂ）の状態に戻る。
【００３８】
そして、図９に示されるように、天板の回動時においては、閉塞板７に設けられた円弧形カバー部材８に沿って、ブラケット１０の円弧形部１６が摺接もしくは近接状態で回動し、テーブル１の折り畳み位置では円弧形カバー部材８が露出される。このときブラケット１０の内側に形成されたフランジ部１３先端（図４参照）が、連結杆６の端部６ａと脚体３との間に形成される空間Ｓの間に入り込み、天板２の更なる回動が規制されている。
【００３９】
本実施例では、レバー部材２５の棒状部２５ｂがブラケット１０における溝部１４ｃと天板下面２ａとで支持されているので、レバー部材２５をブラケット１０の上部から容易に取り付けることができるとともに、棒状部２５ｂを支持するための特段の部材が不要となるため複雑な支持要素を設けずに済み、部材点数を削減できる。しかも棒状部２５ｂが天板２で閉塞されているので外方に目立たず体裁も良い。
【００４０】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、脚体３の上端部３ａを覆う閉塞板７の外側板７ａに係合孔７ｃが穿設されたことで、連結杆６にブラケット１０を軸着する際に係合突部３２と係合孔７ｃとの位置合わせを簡便に行えることから好ましいが、本発明はこれに限定されるものではなく、閉塞板７を用いることなく脚体３の上端部３ａの外側面に係合突部３２と係合可能な係合孔を直接形成してもよい。
【００４１】
また、上記実施例では、棒状部２５ｂの上方に、レバー保持片２６が嵌入されており、ブラケット１０からのレバー部材２５の取り外れが阻止され、天板２に対する取着する作業の利便性が向上されることから好ましいが、本発明はこれに限定されるものではなく、レバー保持片２６を溝部１４ｃに取り付けない場合であっても、棒状部２５ｂは把手部２５ａからの操作によって天板２の下面２ａと溝部１４ｃとの空間内で確実に回動される。
【００４２】
また、上記実施例では、ブラケット１０の内向き窪み部１２の内周面１２ｂには、複数の案内凸条１８が所定間隔で形成され、連結杆６との回動の際の摩擦面を低減していることから円滑にブラケット１０の回動を行えることから好ましいが、本発明はこれに限定されるものではなく、内周面１２ｂに案内凸条１８が形成されなくともよいことは言うまでもなく、例えば、従来公知の潤滑性のある被膜を内周面１２ｂに塗付して摩擦面を低減することも可能である。
【図面の簡単な説明】
【００４３】
【図１】図１（ａ）は、本発明の実施例における折り畳みテーブルの全体像を示す天板使用位置の斜視図であり、図１（ｂ）は、折り畳みテーブルの天板の折り畳み位置を示す斜視図である。
【図２】脚体、連結杆、閉塞板および幕板を示す分解組立斜視図および、その閉塞板と脚体の連結を示す要部拡大斜視図である。
【図３】テーブルの天板を支持するブラケットの分解組立斜視図である。
【図４】ブラケットの組立完成斜視図である。
【図５】天板取り付け後のブラケットの状態を示す平面図である。
【図６】図６（ａ）は、図５のＣ−Ｃ線に沿う端面図であり、図６（ｂ）は、図５のＤ−Ｄ線に沿う端面図である。
【図７】図７（ａ）は、図６（ａ）に示されたレバー部材操作時の端面図であり、図７（ｂ）も同様に、図６（ｂ）に示されたレバー部材操作時の端面図である。
【図８】図８（ａ）は、折り畳みテーブルの水平な天板の使用位置からの切換えレバーの操作を示す一部省略要部拡大斜視図であり、図８（ｂ）は、折り畳みテーブルの略垂直な天板の折り畳み位置を示す一部省略要部拡大斜視図である。
【図９】天板の使用可能な水平位置から略垂直な折り畳み位置へと回動されたテーブルを示す側面図である。
【符号の説明】
【００４４】
１                テーブル（折り畳みテーブル）
２                天板
２ａ              下面
３                脚体
３ａ              上端部
３ｂ              下端部
３ｃ              幕板取付片
３ｄ              ネジ孔
４                幕板
５                キャスタ
５ａ              キャスタ取付キャップ
６                連結杆
６ａ              側端部
７                閉塞板
７ａ              外側板
７ｂ              水平板
７ｃ              係合孔（天板の水平な使用位置）
７ｄ              段部（略垂直な折り畳み位置）
８                円弧形カバー部材
８ａ              前面
８ｂ              ボルト貫通孔
９                カバー取付ボルト
１０              ブラケット
１１              側壁
１１ａ            内側面
１２              内向き窪み部
１２ａ            内壁（最奥部に形成した）
１２ｂ            内周面
１３              フランジ部
１４              上板
１４ｂ            挿通孔
１４ｃ            溝部
１４ｄ            天板取付貫通孔
１５              側面視略Ｊ字状部
１６              ブラケットの円弧形部
１７              水平部
１８              案内凸条
１９              天板取付ネジ
２０              案内溝
２０ａ            摺動溝
２１              ネジ穴
２３              荷物掛け部
２５              レバー部材（操作手段）
２５ａ            把手部（棒状部の一端側）
２５ｂ            棒状部
２５ｃ            延設部（棒状部の他端側）
２６              レバー保持片
３０              床面
３１              保持板
３１ａ            軸挿通孔
３１ｂ            ネジ挿通孔
３２              係合突部（係止手段）
３２ａ            係止受軸
３３              バネ部材
３５              固定ネジ
Ｓ                空間（連結杆の端部と脚杆との空間）
【図１】
2007306987.tif 000003
【図２】
2007306987.tif 000004
【図３】
2007306987.tif 000005
【図４】
2007306987.tif 000006
【図５】
2007306987.tif 000007
【図６】
2007306987.tif 000008
【図７】
2007306987.tif 000009
【図８】
2007306987.tif 000010
【図９】
2007306987.tif 000011